(57)【要約】【課題】  全系が小型で大口径比、高ズーム比で、しかも像ぶれ補正に際して高い光学性能を維持することができ、しかも防振用の光学系の小型化が容易なズームレンズ及びそれを有する撮像装置の提供を目的とする。【解決手段】  物体側より像側へ順に、配置された正の屈折力の第１レンズ群、負の屈折力の第２レンズ群、１つ以上のレンズ群、を含む中間群、負の屈折力の第（ｎ−１）レンズ群、正の屈折力の第ｎレンズ群より成り、ズーミングに際して隣り合うレンズ群の間隔が変化するズームレンズであって、コクタンから望遠端へのズーミングに際して前記第ｎレンズ群が物体側に移動し、前記第ｎレンズ群は像ぶれ補正に際して光軸に対して垂直方向の成分を含む方向に移動する負の屈折力の像ぶれ補正用の部分群を有することを特徴とする。【選択図】図１
2020008773.tif 000002
【特許請求の範囲】
【請求項１】
ズーミングに際して隣り合うレンズ群の間隔が変化する複数のレンズ群を有するズームレンズであって、
前記複数のレンズ群は、物体側より像側へ順に配置された、正の屈折力の第１レンズ群、負の屈折力の第２レンズ群、１つ以上のレンズ群を含む中間群、負の屈折力の第（ｎ−１）レンズ群、正の屈折力の第ｎレンズ群より構成され、
前記第ｎレンズ群は、広角端から望遠端へのズーミングに際して物体側に移動し、
前記第ｎレンズ群は、像ぶれ補正に際して光軸に対して垂直方向の成分を含む方向に移動する負の屈折力の像ぶれ補正用の部分群を有することを特徴とするズームレンズ。
【請求項２】
広角端から望遠端へのズーミングにおける前記第ｎレンズ群の移動量をＭｎ、広角端における前記ズームレンズの焦点距離をｆｗとするとき
１．０＜−Ｍｎ／ｆｗ＜３．０
なる条件式を満たすことを特徴とする、請求項１に記載のズームレンズ。
【請求項３】
広角端におけるバックフォーカスをＢｆｗ、広角端における前記ズームレンズの焦点距離をｆｗとするとき
０．２５＜Ｂｆｗ／ｆｗ＜２．５０
なる条件式を満たすことを特徴とする請求項１または２に記載のズームレンズ。
【請求項４】
前記像ぶれ補正用の部分群の焦点距離をｆｉｓ、前記第ｎレンズ群の焦点距離をｆｎとするとき、
０．５＜−ｆｉｓ／ｆｎ＜１．０
なる条件式を満たすことを特徴とする請求項１乃至３のいずれか１項に記載のズームレンズ。
【請求項５】
前記第ｎレンズ群は、物体側から像側へ順に配置された、正の屈折力の部分群ｎｐ１、負の屈折力の部分群ｎｎ１、正又は負の屈折力の部分群ｎ３より構成され、
前記部分群ｎｎ１は前記像ぶれ補正用の部分群であることを特徴とする請求項１乃至４のいずれか１項に記載のズームレンズ。
【請求項６】
前記部分群ｎｐ１の焦点距離をｆｎｐ１、前記像ぶれ補正用の部分群ｎｎ１の焦点距離をｆｉｓとするとき、
１．０＜−ｆｉｓ／ｆｎｐ１＜２．０
なる条件式を満たすことを特徴とする請求項５に記載のズームレンズ。
【請求項７】
前記第１レンズ群の焦点距離をｆ１、前記第２レンズ群の焦点距離をｆ２、前記第（ｎ−１）レンズ群の焦点距離をｆｎ−１、前記第ｎレンズ群の焦点距離をｆｎ、広角端における前記ズームレンズの焦点距離をｆｗとするとき、
３．０＜ｆ１／ｆｗ＜１０．０
０．４＜−ｆ２／ｆｗ＜２．０
１．５＜−ｆｎ−１／ｆｗ＜５．０
１．５＜ｆｎ／ｆｗ＜５．０
なる条件式を満たすことを特徴とする請求項１乃至６のいずれか１項に記載のズームレンズ。
【請求項８】
前記中間群は、正の屈折力の第３レンズ群より構成されることを特徴とする請求項１乃至７のいずれか１項に記載のズームレンズ
【請求項９】
前記中間群は、物体側から像側へ順に配置された、正の屈折力の第３レンズ群、正の屈折力の第４レンズ群より構成されることを特徴とする請求項１乃至７のいずれか１項に記載のズームレンズ。
【請求項１０】
請求項１乃至９のいずれか１項に記載のズームレンズと該ズームレンズによって形成された像を受光する撮像素子を有することを特徴とする撮像装置。
【発明の詳細な説明】
【技術分野】
【０００１】
本発明はズームレンズ及びそれを有する撮像装置に関し、例えばビデオカメラ、デジタ
ルスチルカメラ、監視用カメラ、放送用カメラ、等の撮像光学系として好適なものである。
【背景技術】
【０００２】
近年、撮像装置に用いる撮像光学系としては、全系が小型で、大口径比、高ズーム比で、しかも手ぶれ等による撮影画像のぶれ（像ぶれ）を補正し、光学性能の低下を防止する防振用の光学系を有すること等が要望されている。従来、ズームレンズを構成する一部のレンズ群（部分群）で像ぶれ補正を行ったズームレンズが知られている（特許文献１、２）。
【０００３】
特許文献１の実施例では、正負正負正の屈折力の第１レンズ群乃至第５レンズ群よりなる５群構成の開放Ｆ値２．９１のズームレンズを開示している。
【０００４】
特許文献２は、正負正負正の屈折力の第１レンズ群乃至第５レンズ群よりなる５群構成の開放Ｆ値２．９１のズームレンズを開示している。引用文献１の実施例２、引用文献２の各実施例ではいずれも像ぶれ補正に際して第４レンズ群を光軸に対して垂直方向の成分を含む方向に移動させている。
【先行技術文献】
【特許文献】
【０００５】
【特許文献１】特開２０１３−１６０９４４号公報
【特許文献２】特開２０１３−１８２２４６号公報
【発明の概要】
【発明が解決しようとする課題】
【０００６】
ズームレンズにおいては、全系の小型化を図りつつ、大口径比、高ズーム比で全ズーム範囲にわたり高い光学性能を得ること、そして像ぶれ補正に際して高い光学性能を維持することが要求されている。
【０００７】
また、像ぶれ補正用の部分群を光軸と垂直方向の成分を含む方向に移動させる場合、移動機構の小型化、省電力化を図るため像振れ補正用の部分群が小型軽量であること等が要求されている。これらの要件を満足するズームレンズを得るには、例えばズームタイプ（レンズ群の数や各レンズ群の屈折力等）及び像ぶれ補正用の部分群の選定や、その屈折力等のレンズ構成を適切に設定することが重要になってくる。
【０００８】
本発明は、全系が小型で大口径比、高ズーム比で、しかも像ぶれ補正に際して高い光学性能を維持することができ、しかも防振用の光学系の小型化が容易なズームレンズ及びそれを有する撮像装置の提供を目的とする。
【課題を解決するための手段】
【０００９】
本発明のズームレンズはズーミングに際して隣り合うレンズ群の間隔が変化する複数のレンズ群を有するズームレンズであって、前記複数のレンズ群は、物体側より像側へ順に配置された、正の屈折力の第１レンズ群、負の屈折力の第２レンズ群、１つ以上のレンズ群を含む中間群、負の屈折力の第（ｎ−１）レンズ群、正の屈折力の第ｎレンズ群より構成され、前記第ｎレンズ群は、広角端から望遠端へのズーミングに際して物体側に移動し、前記第ｎレンズ群は、像ぶれ補正に際して光軸に対して垂直方向の成分を含む方向に移動する負の屈折力の像ぶれ補正用の部分群を有することを特徴としている。
【発明の効果】
【００１０】
本発明によれば、全系が小型で、大口径比高ズーム比で、像ぶれ補正に際して高い光学性能を維持することができ、しかも防振用の光学系の小型化が容易なズームレンズが得られる。
【図面の簡単な説明】
【００１１】
【図１】本発明における実施例１の光学断面図
【図２】（Ａ）、（Ｂ）本発明の実施例１の広角端と望遠端における縦収差図
【図３】（Ａ）、（Ｂ）本発明の実施例１の広角端と望遠端における横収差図
【図４】（Ａ）、（Ｂ）本発明の実施例１の、０．３度の像ぶれ補正したときの横収差図
【図５】本発明における実施例２の光学断面図
【図６】（Ａ）、（Ｂ）本発明の実施例２の広角端と望遠端における縦収差図
【図７】（Ａ）、（Ｂ）本発明の実施例２の広角端と望遠端における横収差図
【図８】（Ａ）、（Ｂ）本発明の実施例２の、０．３度の像ぶれ補正したときの横収差図
【図９】本発明における実施例３の光学断面図
【図１０】（Ａ）、（Ｂ）本発明の実施例３の広角端と望遠端における縦収差図
【図１１】（Ａ）、（Ｂ）本発明の実施例３の広角端と望遠端における横収差図
【図１２】（Ａ）、（Ｂ）本発明の実施例３の、０．３度の像ぶれ補正したときの横収差図
【図１３】本発明の撮像装置の要部説明図
【発明を実施するための形態】
【００１２】
以下に本発明の好ましい実施の形態を、添付の図面に基づいて詳細に説明する。本発明のズームレンズは、ズーミングに際して隣り合うレンズ群の間隔が変化する複数のレンズ群を有する。複数のレンズ群は物体側より像側へ順に配置された、正の屈折力の第１レンズ群、負の屈折力の第２レンズ群、１つ以上のレンズ群を含む中間群、負の屈折力の第（ｎ−１）レンズ群、正の屈折力の第ｎレンズ群より成る。
【００１３】
広角端から望遠端へのズーミングに際して第ｎレンズ群が物体側に移動する。第ｎレンズ群は、像ぶれ補正に際して光軸に対して垂直方向の成分を含む方向に移動する負の屈折力の像ぶれ補正用の部分群を有する。
【００１４】
図１は本発明の実施例１のズームレンズの広角端（短焦点距離端）におけるレンズ断面図である。
【００１５】
図２（Ａ）、（Ｂ）はそれぞれ実施例１のズームレンズの無限遠に合焦時での広角端、望遠端（長焦点距離端）における収差図である。
【００１６】
図３（Ａ）、（Ｂ）は実施例１のズームレンズの無限遠に合焦時での広角端と望遠端における横収差図である。
【００１７】
図４（Ａ）、（Ｂ）は本発明の実施例１にズームレンズの無限遠に合焦時で０．３度の像ぶれ補正をしたときの広角端と望遠端における横収差図である。実施例１はズーム比３．４４、Ｆナンバー２．９０のズームレンズである。
【００１８】
図５は本発明の実施例２のズームレンズの広角端におけるレンズ断面図である。
【００１９】
図６（Ａ）、（Ｂ）はそれぞれ実施例２のズームレンズの無限遠に合焦時の広角端、望遠端における収差図である。
【００２０】
図７（Ａ）、（Ｂ）は実施例２のズームレンズの無限遠に合焦時での広角端と望遠端における横収差図である。
【００２１】
図８（Ａ）、（Ｂ）は本発明の実施例２のズームレンズの無限遠に合焦時で０．３度の像ぶれ補正をしたときの広角端と望遠端における横収差図である。実施例２はズーム比４．１２、Ｆナンバー２．９１のズームレンズである。
【００２２】
図９は本発明の実施例３のズームレンズの広角端におけるレンズ断面図である、
図１０（Ａ）、（Ｂ）はそれぞれ実施例３のズームレンズの無限遠に合焦時の広角端、望遠端における収差図である。
【００２３】
図１１（Ａ）、（Ｂ）は実施例３のズームレンズの無限遠に合焦時での広角端と望遠端における横収差図である。
【００２４】
図１２（Ａ）、（Ｂ）は本発明の実施例３のズームレンズの無限遠に合焦時で０．３度の像ぶれ補正をしたときの広角端と望遠端における横収差図である。実施例３はズーム比３．４４、Ｆナンバー２．９のズームレンズである。
【００２５】
図１３は本発明の撮像装置の要部概略図である。
【００２６】
各実施例のズームレンズはビデオカメラやデジタルカメラ等の撮像装置に用いられる撮像光学系である。レンズ断面図において、左方が被写体側（物体側）（前方）で、右方が像側（後方）である。レンズ断面図において、ＬＯはズームレンズである。ｉは物体側からのレンズ群の順番を示し、Ｌｉは第ｉレンズ群である。Ｌｍは１つ以上のレンズ群を含む中間群である。Ｌｎ−１は負の屈折力の第（ｎ−１）レンズ群である。但しｎは５以上の整数である。Ｌｎは正の屈折力の第ｎレンズ群である。第（ｎ−１）レンズ群Ｌｎ−１は像側から数えて２番目のレンズ群であり、第ｎレンズ群Ｌｎは最も像側に配置されたレンズ群である。
【００２７】
第ｎレンズ群Ｌｎは物体側から像側へ順に配置された正の屈折力の部分群ｎｐ１、負の屈折力の部分群ｎｎ１、正又は負の屈折力の部分群ｎ３より構成され、部分群ｎｎ１は像ぶれ補正用の部分群である。
【００２８】
ＳＰはＦナンバー光束を制限する開口絞りである。
【００２９】
ＦＰはフレアーカット絞りである。
【００３０】
ＩＰは像面であり、ビデオカメラやデジタルスチルカメラの撮像光学系として使用する際には撮像光学系で形成された像を受光するＣＣＤセンサやＣＭＯＳセンサ等の固体撮像素子（光電変換素子）の撮像面に相当する。矢印は広角端から望遠端へのズーミングにおける各レンズ群の移動軌跡を示している。
【００３１】
収差図のうち、球面収差図において、実線のｄはｄ線（波長５８７．６ｎｍ）、破線のｇはｇ線（波長４３５．８ｎｍ）である。非点収差図において点線のＭはｄ線のメリディオナル像面、実線のＳはｄ線のサジタル像面である。倍率色収差のｇはｇ線である。ωは半画角（撮像画角の半分の値）（度）、ＦｎｏはＦナンバーである。尚、以下の各実施例において広角端と望遠端は変倍用レンズ群が機構上光軸上を移動可能な範囲の両端に位置したときのズーム位置をいう。
【００３２】
物体側より像側へ順に正の屈折力の第１レンズ群、負の屈折力の第２レンズ群で始まるポジティブリード型の標準画角を含むズームレンズでは第１レンズ群と第２レンズ群において、軸上光線の入射高ｈが低く、軸外主光線の入射高ｈ―が大きくなる。このため、像ぶれ補正に際して第１レンズ群又は第２レンズ群を移動させると、移動した時の軸上光束の変位に対し、軸外光線の像面湾曲の発生が大きい。このため第１レンズ群や第２レンズ群は像ぶれ補正としてはあまり適していない。そのため像ぶれ補正は、正の屈折力の第３レンズ群以降のレンズ群で行うのが良い。
【００３３】
しかしながら、像ぶれ補正用のレンズ群が望遠端において、像側からの距離が大きいと、防振駆動機構を含めた全体外径が大きくなる傾向になる。
【００３４】
そこで、本発明者は、Ｆ値が明るいズームレンズにおいて、望遠端において極力軸上光線の入射高ｈが高くない位置に像ぶれ補正用の部分群を配置するのが、全系を小径化するため有効であると考えた。この結果最も像側の正の屈折力のレンズ群の一部に像ぶれ補正用の部分群を配置することが最も適していると考えた。
【００３５】
更に、最も像側のレンズ群の中に、負の屈折力の部分群を設ければ、軸上光線の入射高ｈがさらに低くなり、全系の小径化が容易になることを見出した。
【００３６】
そこで、各実施例のズームレンズは前述の如く、物体側より像側へ順に配置された、正の屈折力の第１レンズ群、負の屈折力の第２レンズ群、１つ以上のレンズ群を含む中間群、負の屈折力の第（ｎ−１）レンズ群、正の屈折力の第ｎレンズ群より構成している。
【００３７】
そして、第ｎレンズ群は、像ぶれ補正に際して光軸に対して垂直方向の成分を含む方向に移動する負の屈折力の像ぶれ補正用の部分群を有するようにしている。そして、ｎを正の５以上の整数とするとき、ズームレンズ全体がｎ個のレンズ群より構成されているとする。
【００３８】
このとき第（ｎ−１）レンズ群が負の屈折力、第ｎレンズ群が正の屈折力のズームタイプのズームレンズは、広角端から望遠端に際し、第（ｎ−１）レンズ群が第ｎレンズ群に対して接近することで、変倍効果を得ている。
【００３９】
そのため、このズームタイプの第ｎレンズ群は、広角端から望遠端へのズーミングに際する移動量が小さくなる。よって、第ｎレンズ群の望遠端における軸上光線の入射高ｈを小さくすることが出来る。
【００４０】
更に、第ｎレンズ群内に、負の屈折力の部分群を設けると更にこの負の屈折力の部分群が小径となる。
【００４１】
そこでこの負の屈折力の部分群を光軸に対し垂直方向の成分を含む方向に移動させて像ぶれ補正を行うことで、Ｆ値が明るいにも関わらず、全系が小型で小径のズームレンズを得ている。
【００４２】
尚、実施例１．２において、中間群Ｌｍは正の屈折力の第３レンズ群Ｌ３より構成される。また、実施例３において中間群Ｌｍは物体側から像側へ順に配置された正の屈折力の第３レンズ群Ｌ３、正の屈折力の第４レンズ群Ｌ４より構成される
次に、本発明を実施するにあたり、より好ましい条件について説明する。広角端から望遠端へのズーミングにおける第ｎレンズ群Ｌｎの移動量をＭｎ、広角端におけるズームレンズの焦点距離をｆｗとする。
【００４３】
ここで、広角端から望遠端へのズーミングに際してのレンズ群の移動量とは、レンズ群の広角端と望遠端における光軸上の位置の差である。レンズ群の移動量の符号は広角端に比べて望遠端において、レンズ群が像側に位置するときを正とし、物体側に位置するときを負とする。広角端におけるバックフォーカスをＢｆｗとする。
【００４４】
第ｎレンズ群Ｌｎは物体側から像側へ順に配置された正の屈折力の部分群ｎｐ１、負の屈折力の部分群ｎｎ１、正又は負の屈折力の部分群ｎ３より構成され、部分群ｎｎ１は像ぶれ補正用の部分群である。
【００４５】
像ぶれ補正用の部分群ｎｎ１の焦点距離をｆｉｓ、第ｎレンズ群Ｌｎの焦点距離をｆｎとする。部分群ｎｐ１の焦点距離をｆｎｐ１とする。第１レンズ群Ｌ１の焦点距離をｆ１、第２レンズ群Ｌ２の焦点距離をｆ２とする。第（ｎ−１）レンズ群Ｌｎ−１の焦点距離をｆｎ−１とする。
【００４６】
このとき次の条件式のうち１つ以上を満足するのが良い。
【００４７】
１．０＜−Ｍｎ／ｆｗ＜３．０     ・・・（１）
０．２５＜Ｂｆｗ／ｆｗ＜２．５０ ・・・（２）
０．５＜−ｆｉｓ／ｆｎ＜１．０   ・・・（３）
１．０＜−ｆｉｓ／ｆｎｐ１＜２．０      ・・・（４）
３．０＜ｆ１／ｆｗ＜１０．０     ・・・（５）
０．４＜−ｆ２／ｆｗ＜２．０     ・・・（６）
１．５＜−ｆｎ−１／ｆｗ＜５．０        ・・・（７）
１．５＜ｆｎ／ｆｗ＜５．０       ・・・（８）
次に前述の条件式の技術的意味について説明する。
【００４８】
条件式（１）は、ズーミングに際しての第ｎレンズ群Ｌｎの移動量の最適化を図るものである。条件式（１）の上限値を上回ると、第ｎレンズ群Ｌｎの移動量が大き過ぎて、望遠端において第ｎレンズ群Ｌｎの有効径が大型化してしまうため、好ましくない。条件式（１）の下限値を上回ると、第ｎレンズ群Ｌｎの移動量が小さく十分なズーム比が得られないため、好ましくない。第ｎレンズ群Ｌｎは物体側から像側へ順に配置された正の屈折力の部分群ｎｐ１、負の屈折力の部分群ｎｎ１、正又は負の屈折力の部分群ｎ３より構成されている。そして部分群ｎｎ１で像ぶれを補正するのが良い。
【００４９】
負の屈折力の部分群ｎｎ１の物体側に、正の屈折力の部分群ｎｐ１を配置することで、部分群ｎｎ１をより小径化している。
【００５０】
条件式（２）は、バックフォーカスの長さを適切に設定している。条件式（２）の上限値を上回ると、バックフォーカスが長過ぎて、第ｎレンズ群Ｌｎの正屈折力が強まり、その中の負の屈折力の部分群を配置することが困難になる。条件式（２）の下限値を上回ると第ｎレンズ群Ｌｎが必ずしも正の屈折力である必要がなくなって来る。
【００５１】
条件式（３）は、第ｎレンズ群Ｌｎ内の像ぶれ補正用の部分群ｎｎ１の屈折力を適切にし、部分群ｎｎ１を小型化しつつ、第ｎレンズ群Ｌｎでのズーム効果を得るためのものである。条件式（３）の上限値を上回ると、部分群ｎｎ１の負の屈折力が弱過ぎ（負の屈折力の絶対値が小さくなりすぎ）部分群ｎｎ１の防振シフト量が増えてしまい、大径化するため、好ましくない。条件式（３）の下限値を上回ると、第ｎレンズ群Ｌｎの正の屈折力が弱過ぎ、十分な変倍効果が得られないため、好ましくない。
【００５２】
条件式（４）は、第ｎレンズ群Ｌｎ内の正の屈折力の部分群ｎｐ１と部分群ｎｎ１の屈折力を適切にし、部分群ｎｎ１を小型化しつつ、ズーミングに際して球面収差の変動を小さくするためのものである。条件式（４）の上限値を上回ると、部分群ｎｐ１の屈折力が強過ぎ、第ｎレンズ群Ｌｎでのズーミングに際しての球面収差の変動が大きくなるため好ましくない。条件式（４）の下限値を上回ると、部分群ｎｐ１の屈折力が弱過ぎ、部分群ｎｎ１が大型化するため好ましくない。
【００５３】
条件式（５）は、第１レンズ群Ｌ１の焦点距離を適切にすることで、広角端において歪曲収差、及びズームレンズの小型化を図りつつ、広画角化を図るためのものである。条件式（５）の上限値を上回ると、第１レンズ群Ｌ１正の屈折力が弱過ぎて、ズームレンズが大型化し、また広角端において歪曲収差の補正が不足してしまうため、好ましくない。条件式（５）の下限値を上回ると、第１レンズ群のＬ１の正の屈折力が強過ぎて、広画角化が困難になるため、好ましくない。
条件式（６）は、第２レンズ群Ｌ２の焦点距離を適切にすることで、広角端において歪曲収差、及び望遠端において球面収差を補正しつつズームレンズの小型化を図るためのものである。条件式（６）の上限値を上回ると、第２レンズ群Ｌ２の負の屈折力が弱過ぎて、ズームレンズが大型化してしまうため、好ましくない。条件式（６）の下限値を上回ると、第２レンズ群Ｌ２負の屈折力が強過ぎて（負の屈折力の絶対値が大きくなりすぎて）、広角端において歪曲収差と望遠端において球面収差が増大するため、好ましくない。
【００５４】
条件式（７）は、負の屈折力の第（ｎ−１）レンズ群Ｌｎ−１の焦点距離を適切にすることで、高ズーム比化と、望遠端において球面収差を良好に補正するためのである。条件式（７）の上限値を上回ると、第（ｎ−１）レンズ群Ｌｎ−１の負の屈折力が弱過ぎて、高ズーム比化が困難になるため、好ましくない。条件式（７）の下限値を上回ると、第（ｎ−１）レンズ群Ｌｎ−１の負の屈折力が強過ぎて、球面収差の変動が大きくなるため、好ましくない。
【００５５】
条件式（８）は、正の屈折力の第ｎレンズ群Ｌｎの焦点距離を適切にすることで、高ズーム比化と、望遠端において球面収差を良好に補正するためのものである。条件式（８）の上限値を上回ると、第ｎレンズ群Ｌｎの屈折力が弱過ぎて、高ズーム比化が困難になるため、好ましくない。条件式（８）の下限値を上回ると、第ｎレンズ群Ｌｎの屈折力が強過ぎて、球面収差の変動が大きくなるため、好ましくない。
【００５６】
更に好ましくは条件式（１）乃至（８）の数値範囲を次の如く設定するのが良い。
【００５７】
１．１＜−Ｍｎ／ｆｗ＜２．０     ・・・（１ａ）
０．３５＜Ｂｆｗ／ｆｗ＜２．００ ・・・（２ａ）
０．６＜−ｆｉｓ／ｆｎ＜０．９   ・・・（３ａ）
１．２＜−ｆｉｓ／ｆｎｐ１＜１． ・・・（４ａ）
４．０＜ｆ１／ｆｗ＜８．０       ・・・（５ａ）
０．５＜−ｆ２／ｆｗ＜１．２     ・・・（６ａ）
１．８＜−ｆｎ−１／ｆｗ＜４．０  ・・・（７ａ）
２．０＜ｆｎ／ｆｗ＜４．０       ・・・（８ａ）
更に好ましくは条件式（１）乃至（８）数値範囲を次の如く設定するのが良い。
【００５８】
１．２＜−Ｍｎ／ｆｗ＜１．６     ・・・（１ｂ）
０．３７＜Ｂｆｗ／ｆｗ＜１．００ ・・・（２ｂ）
０．６５＜−ｆｉｓ／ｆｎ＜０．８ ・・・（３ｂ）
１．３＜−ｆｉｓ／ｆｎｐ１＜１． ・・・（４ｂ）
４．２＜ｆ１／ｆｗ＜７．０       ・・・（５ｂ）
０．６＜−ｆ２／ｆｗ＜１．１     ・・・（６ｂ）
１．９＜−ｆｎ−１／ｆｗ＜３．５  ・・・（７ｂ）
２．４＜ｆｎ／ｆｗ＜３．８       ・・・（８ｂ）
本発明に係わるズームレンズは、物体側より像側へ順に配置された正の屈折力の第１レンズ群、負の屈折力の第２レンズ群、正又は負の屈折力の第３レンズ群、負の屈折力の第４レンズ群、正の屈折力の第５レンズ群の５群ズーム構成が適している。この他、物体側より像側へ順に配置された次のレンズ群が適している。正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群の７群ズーム構成などが、適している。
【００５９】
以下、各実施例のレンズ構成について説明する。
【００６０】
実施例１は、物体側より像側へ順に配置された、正の屈折力の第１レンズ群Ｌ１、負の屈折力の第２レンズ群Ｌ２、正の屈折力の第３レンズ群Ｌ３、負の屈折力の第４レンズ群Ｌ４、正の屈折力の第５レンズ群Ｌ５より成る。実施例１はＦ値２．９ズーム比３．４４の５群ズームレンズである。第３レンズ群Ｌ３が中間群Ｌｍ、第４レンズ群Ｌ４が第（ｎ−１）レンズ群Ｌｎ−１、第５レンズ群Ｌ５が第ｎレンズ群Ｌｎに相当している。
【００６１】
第５レンズ群Ｌ５は、正の屈折力の部分群ｎｐ１、負の屈折力の部分群ｎｎ１、正の屈折力の部分群ｎ３の３つの部分群より構成されている。小型小径の部分群ｎｎ１を光軸に対して垂直方向の成分を含む方向に移動することで像ぶれ補正を行っており、それにより、Ｆ値が明るいズームレンズでありながら、像ぶれ補正効果を効果的に得ている。
【００６２】
広角端から望遠端へのズーミングに際し、第１レンズ群Ｌ１と第２レンズ群Ｌ２の間隔が広がり、第２レンズ群Ｌ２と第３レンズ群Ｌ３の間隔が狭まり、第３レンズ群Ｌ３と第４レンズ群Ｌ４の間隔が広がる。更に、第４レンズ群Ｌ４と第５レンズ群Ｌ５の間隔が狭まり、第５レンズ群Ｌ５と像面の間隔が広がっている。それにより変倍を効率的に行っている。
【００６３】
この時、第５レンズ群Ｌ５（第ｎレンズ群Ｌｎ）の移動量は、条件式（１）を満たしており、第５レンズ群Ｌ５の有効径を大きくし過ぎることなく、変倍を効果的に行っている。
【００６４】
また、広角端におけるバックフォーカスが、条件式（２）を満たしており、システム上必要な長さのバックフォーカスを確保しつつ、第５レンズ群Ｌ５の有効径を小さくに保っている。
【００６５】
部分群ｎｎ１と第ｎレンズ群Ｌｎの屈折力の比が条件式（３）を満たしており、それにより、防振敏感度を適切にし、制御性向上と小径化を図っている。
【００６６】
部分群ｎｐ１と部分群ｎｎ１の屈折力の比が条件式（４）を満たしており、それにより、部分群ｎｎ１を小型化しつつ、ズーミングに際しての収差変動を小さくし、高い光学性能を得ている。
【００６７】
無限年から近距離へのフォーカシングは、第２レンズ群Ｌ２を物体側に移動することで行っている。
【００６８】
第１レンズ群Ｌ１、第２レンズ群Ｌ２、第（ｎ−１）レンズ群Ｌｎ−１、第ｎレンズ群Ｌｎが、条件式（５）、（６）、（７）、（８）を満たしており、それにより諸収差の良好なる補正とズームレンズの小型化を達成している。
【００６９】
実施例２は、実施例１と同様のズームタイプの５群ズームレンズであり、Ｆ値２．９１でズーム比４．１２である。
【００７０】
第５レンズ群Ｌ５の構成も実施例１と同じ３つの部分群より構成されている。
【００７１】
広角端から望遠端へのズーミングに際し、この各レンズ群の移動条件も実施例１と同じである。
【００７２】
実施例２も条件式（１）乃至（８）を満足しており、これによって実施例１と同様の効果を得ている。
【００７３】
実施例３は、物体側より像側へ順に、配置された正の屈折力の第１レンズ群Ｌ１、負の屈折力第２レンズ群Ｌ２、正の屈折力の第３レンズ群Ｌ３、正の屈折力の第４レンズ群Ｌ４、負の屈折力の第５レンズ群Ｌ５、正の屈折力の第６レンズ群Ｌ６より成る。実施例３はＦ値２．９でズーム比３．４４の６群ズームレンズである。
【００７４】
第３レンズ群Ｌ３と第４レンズ群Ｌ４が中間群Ｌｍ、第５レンズ群Ｌ５が第（ｎ−１）レンズ群Ｌｎ−１、第６レンズ群Ｌ６が第ｎレンズ群Ｌｎに相当している。
【００７５】
第６レンズ群Ｌ６は、正の屈折力の部分群ｎｐ１、負の屈折力の部分群ｎｎ１、正の屈折力の部分群ｎ３の３つの部分群より構成されている。小型小径の部分群ｎｎ１を光軸に対して垂直方向の成分を含む方向に移動することで像ぶれ補正を行っており、それにより、Ｆ値が明るいズームレンズでありながら、変倍を効果的に得ている。
【００７６】
広角端から望遠端へのズーミングに際し、第１レンズ群Ｌ１と第２レンズ群Ｌ２の間隔が広がり、第２レンズ群Ｌ２と第３レンズ群Ｌ３の間隔が狭まり、第３レンズ群Ｌ３と第４レンズ群Ｌ４の間隔が狭まる。更に、第４レンズ群Ｌ４と第５レンズ群Ｌ５の間隔が広がり、第５レンズ群Ｌ５と第６レンズ群Ｌ６の間隔が狭まる。更に第６レンズ群Ｌ６と像面の間隔が広がっており、それにより変倍を効率的に行っている。
【００７７】
この時、第６レンズ群Ｌ６（第ｎレンズ群Ｌｎ）の移動量は、条件式（１）を満たしており、第６レンズ群Ｌ６の有効の径を大きくし過ぎることなく、変倍を効果的に行っている。
【００７８】
また、広角端におけるバックフォーカスが、条件式（２）を満たしており、システム上必要な長さのバックフォーカスを確保しつつ、第６レンズ群Ｌ６の有効径を小さく保っている。
【００７９】
部分群ｎｎ１と第ｎレンズ群Ｌｎの屈折力の比が条件式（３）を満たしており、それにより、防振敏感度を適切にし、制御性向上と小径化を図っている。
【００８０】
部分群ｎｐ１と部分群ｎｎ１の屈折力の比が条件式（４）を満たしており、それにより、部分群ｎｎ１を小型化しつつ、ズーミングに際しての収差変動を小さくし、高い光学性能を得ている。
【００８１】
無限遠から近距離へのフォーカシングは、第２レンズ群Ｌ２を物体側に移動することで行っている。
【００８２】
第１レンズ群Ｌ１、第２レンズ群Ｌ２、第（ｎ−１）レンズ群Ｌｎ−１、第ｎレンズ群Ｌｎが、条件式（５）、（６）、（７）、（８）を満たしており、それにより諸収差の良好なる補正とズームレンズの小型化の両立を達成している。
【００８３】
次に図１３を用いて本発明の撮像装置（一眼レフカメラ）について説明する。
【００８４】
図１３において１は実施例１乃至３のいずれか１つのズームレンズである。
【００８５】
ズームレンズ１は保持部材である鏡筒２に保持されている。
【００８６】
２０はカメラ本体であり、ズームレンズ１からの光束を上方に反射するクイックリターンミラー３、ズームレンズ１の像形成装置に配置された焦点板４を有する。
【００８７】
更に焦点板４に形成された逆像を正立像に変換するペンタダハプリズム５、その正立像を観察するための接眼レンズ６を有する。
【００８８】
７は感光面であり、ＣＣＤセンサやＣＭＯＳセンサ等のズームレンズによって形成される像を受光する撮像素子（光電変換素子）が配置される。
【００８９】
撮影時にはクイックリターンミラー３が光路から退避して、感光面７上にズームレンズ１によって像が形成される。
【００９０】
実施例１乃至３にて説明した利益は本実施例に開示したような撮像装置において効果的に享受される。
【００９１】
撮像装置としてクイックリターンミラー３のないミラーレスの一眼レフカメラにも同様に適用できる。
【００９２】
以上、本発明の好ましい実施例について説明したが、本発明はこれらの実施例に限定されないことは言うまでもなく、その要旨の範囲内で種々の変形及び変更が可能である。
【００９３】
以下実施例１乃至３に、対応する数値データ１乃至３を示す。
数値データにおいてｉは物体側から数えた面の順序を示す。ｒｉは第ｉ番目の各光学面の曲率半径、ｄｉは第ｉ番目の面と第ｉ＋１番目の面の間隔、ｎｄｉは第ｉ番目の光学部材のｄ線における屈折率、νｄｉは第ｉ番目の光学部材のアッベ数を示す。また、光線有効径を示している。
【００９４】
また、焦点距離、Ｆナンバー等のスペックに加え、半画角、像高は半画角を決定する最大像高、レンズ全長は第１レンズ面から像面までの距離、ＢＦは最終レンズ面から像面までの空気換算での長さを示している。
【００９５】
非球面形状は、光軸に垂直な方向にＲ離れた位置での、光軸方向の面位置をＳａｇ（Ｒ）とした時、
【００９６】
【数１】
2020008773.tif 000003
【００９７】
の関係を満足する形状であり、各非球面の非球面係数を各表に記す。
【００９８】
数値データ１においてｒ１５面は設計上用いたダミー面である。
【００９９】
尚、以下に記載する実施例１から３の数値データに基づく、各条件式の計算結果を表１に示す。
【０１００】
（数値データ１）
単位 mm
面データ
面番号       r        d      nd         vd       有効径
1        500.000    2.00   1.85478    24.8       67.36
2         93.773    7.27   1.76385    48.5       62.95
3       1691.078    0.15                         61.88
4         67.875    6.24   1.76385    48.5       56.41
5        229.783  (可変)                         55.02
6*       278.557    2.00   1.85400    40.4       38.08
7*        19.583    6.17                         28.13
8      -1408.228    6.42   1.71736    29.5       27.88
9        -22.892    1.40   1.77250    49.6       26.61
10        -87.745    3.13                         24.71
11        -22.282    1.40   1.54814    45.8       24.35
12         41.837    4.87   1.84666    23.8       30.35
13      -5351.003  (可変)                         31.30
14(絞り)    ∞       0.00                         33.12
15          ∞       0.00                         (可変)
16*        53.019    8.02   1.76385    48.5       35.69
17        -52.428    1.20                         36.04
18        132.458    9.27   1.59522    67.7       34.67
19        -26.851    1.60   1.85478    24.8       34.16
20        -67.322  (可変)                         34.30
21        -32.002    1.50   1.85400    40.4       28.76
22*       -60.149    0.00                         29.42
23      (FP)∞     (可変)                         (可変)
24         22.888    7.12   1.49700    81.5       28.14
25       -189.753    0.30                         27.09
26        209.120    3.68   1.84666    23.8       26.16
27        -62.285    1.30   1.91082    35.3       25.02
28         43.731    0.30                         23.33
29         28.944    8.30   1.49700    81.5       23.35
30        -34.884    1.20   1.90366    31.3       22.63
31*      -214.818    0.59                         22.85
32        322.262    1.40   1.77250    49.6       22.99
33         34.723    6.53                         24.14
34        677.590    8.19   1.68893    31.1       32.48
35        -29.944    1.80   1.58313    59.4       34.59
36*       -83.611                                 37.01
非球面データ
第6面
K = 0.00000e+000  A 4= 3.15008e-006  A 6= 1.42014e-008  A 8=-6.52613e-011  A10= 1.56159e-013  A12=-1.23572e-016  
第7面
K = 0.00000e+000  A 4=-4.23306e-006  A 6=-1.70854e-008  A 8= 3.94420e-010  A10=-2.75326e-012  A12= 7.54118e-015  
第16面
K = 0.00000e+000  A 4=-2.90890e-006  A 6= 3.15151e-010  A 8= 1.84159e-012  A10= 2.28873e-016  
第22面
K = 0.00000e+000  A 4=-7.10258e-006  A 6=-6.50408e-009  A 8= 1.47983e-012  A10= 1.84596e-014  
第31面
K = 0.00000e+000  A 4= 4.64433e-005  A 6= 3.85864e-008  A 8= 1.25197e-010  A10=-3.24321e-013  
第36面
K = 0.00000e+000  A 4=-1.41505e-005  A 6=-8.72721e-009  A 8= 1.05303e-011  A10=-7.66271e-014  
各種データ
ズーム比      3.44 
広角     中間     望遠
焦点距離      24.70    50.00    85.00  
Fナンバー      2.90     2.90     2.90  
半画角（度）  41.22    23.40    14.28  
像高          21.64    21.64    21.64  
レンズ全長   153.30   173.51   198.31  
BF            12.00    26.12    43.44  
d 5            2.40    20.99    34.24  
d13           20.27     7.77     2.00  
d20            2.45    10.93    14.26  
d23           12.81     4.33     1.00  
ea15          20.37    26.17    33.12
ea23          18.12    22.18    29.07
ズームレンズ群データ
群  始面    焦点距離  レンズ構成長  前側主点位置  後側主点位置
1    1     120.22        15.66         3.36         -5.48
2    6     -17.29        25.39         3.91        -12.97
3   14      29.45        20.10         4.01         -9.05
4   21     -82.09         1.50        -0.94         -1.77
5   24      80.13        40.72        -3.23        -34.89
（数値データ２）
単位 mm
面データ
面番号       r        d      nd         vd       有効径
1        500.000    2.00   1.85478    24.8       73.99
2        108.683    7.27   1.76385    48.5       70.70
3       3001.653    0.15                         69.92
4         84.649    6.36   1.76385    48.5       66.09
5        252.208  (可変)                         64.94
6*       237.302    2.00   1.85400    40.4       42.56
7*        19.774    6.79                         31.39
8         56.739    5.21   1.69895    30.1       29.78
9        -76.946    1.40   1.91082    35.3       28.36
10      -2062.657    3.65                         26.77
11        -26.116    1.40   1.51633    64.1       26.77
12         39.120    4.36   1.84666    23.8       30.67
13        180.216  (可変)                         31.25
14(絞り)    ∞       0.00                         (可変)
15*        37.695   16.45   1.76385    48.5       35.96
16*       -49.163    0.15                         35.50
17      -4333.071    8.89   1.59522    67.7       33.72
18        -23.967    1.60   1.85478    24.8       32.88
19        -57.750  (可変)                         32.82
20        -36.668    1.40   1.85400    40.4       27.32
21*      -175.875    0.00                         27.61
22      (FP)∞     (可変)                         (可変)
23         18.530    7.57   1.49700    81.5       27.12
24       1093.094    0.80                         26.16
25        349.904    2.00   1.84666    23.8       25.22
26       -132.683    1.20   1.91082    35.3       24.71
27         44.541    2.65                         23.36
28        186.938    1.10   1.91082    35.3       22.96
29*       136.255    6.85                         22.65
30         58.299    1.50   1.80000    29.8       28.83
31         40.101    6.39                         29.39
32        184.540    8.09   1.62588    35.7       35.85
33        -35.039    1.80   1.58313    59.4       37.12
34*       -80.051                                 39.08
非球面データ
第6面
K = 0.00000e+000  A 4=-1.49144e-006  A 6= 1.67069e-008  A 8=-3.63904e-011  A10= 4.71452e-014  A12=-2.35521e-017  
第7面
K = 0.00000e+000  A 4=-1.07751e-005  A 6=-1.70527e-009  A 8= 1.45375e-011  A10=-1.79057e-013  A12= 3.71187e-016  
第15面
K = 0.00000e+000  A 4=-2.58744e-006  A 6=-5.92837e-010  A 8=-1.39218e-012  A10= 2.08406e-014  
第16面
K = 0.00000e+000  A 4= 4.10123e-006  A 6=-1.77620e-009  A 8=-6.27107e-012  A10= 2.83163e-014  
第21面
K = 0.00000e+000  A 4=-1.20953e-005  A 6=-1.42567e-010  A 8=-4.22891e-011  A10= 1.11706e-013  
第29面
K = 0.00000e+000  A 4= 4.57832e-005  A 6= 6.53564e-008  A 8= 4.73513e-010  A10=-1.58252e-012  
第34面
K = 0.00000e+000  A 4=-8.43525e-006  A 6=-8.80231e-009  A 8= 1.09279e-011  A10=-2.61188e-014  
各種データ
ズーム比      4.12 
広角     中間     望遠
焦点距離      24.70    50.00   101.85  
Fナンバー      2.91     2.91     2.91  
半画角（度）  41.22    23.40    11.99  
像高          21.64    21.64    21.64  
レンズ全長   158.52   176.33   218.42  
BF            10.00    26.38    43.15  
d 5            2.53    21.00    53.82  
d13           26.55     9.51     2.00  
d19            1.65     7.77     9.92  
d22            8.77     2.65     0.50 
ea14          20.89    26.55    32.34
ea22          17.22    21.60    27.37
ズームレンズ群データ
群  始面    焦点距離  レンズ構成長  前側主点位置  後側主点位置
1    1     149.52        15.78         2.91         -6.00
2    6     -19.79        24.80         4.45        -12.03
3   14      28.65        27.09         6.10        -11.43
4   20     -54.50         1.40        -0.20         -0.96
5   23      73.76        39.95         6.90        -31.72
（数値データ３）
単位 mm
面データ
面番号       r        d      nd         vd       有効径
1        500.000    2.00   1.85478    24.8       67.79
2        100.611    7.27   1.76385    48.5       64.59
3       2045.299    0.15                         63.50
4         66.313    6.50   1.76385    48.5       57.48
5        224.774  (可変)                         55.88
6*       277.954    2.00   1.85400    40.4       37.48
7*        19.488    6.49                         27.68
8       -978.320    5.66   1.71736    29.5       26.86
9        -23.893    1.40   1.77250    49.6       25.70
10        -93.054    2.78                         24.09
11        -22.155    1.40   1.54814    45.8       24.09
12         40.460    4.68   1.84666    23.8       29.28
13       2145.471  (可変)                         30.18
14(絞り)    ∞       0.00                         (可変)
15*        56.240    7.27   1.76385    48.5       34.17
16        -53.913  (可変)                         34.58
17        148.650    8.83   1.59522    67.7       33.92
18        -26.944    1.60   1.85478    24.8       33.55
19        -59.701  (可変)                         33.91
20        -31.792    1.50   1.85400    40.4       28.73
21*       -58.541    0.00                         29.45
22      (FP)∞     (可変)                         (可変)
23         22.740    7.53   1.49700    81.5       28.52
24       -133.823    0.30                         27.52
25        212.239    3.65   1.84666    23.8       26.30
26        -64.370    1.30   1.91082    35.3       25.14
27         43.942    0.30                         23.45
28         28.948    8.19   1.49700    81.5       23.54
29        -33.735    1.20   1.90366    31.3       22.95
30*      -220.695    0.57                         23.07
31        268.426    1.40   1.77250    49.6       23.20
32         33.471    6.90                         24.26
33        385.717    8.56   1.68893    31.1       33.01
34        -29.783    1.80   1.58313    59.4       35.01
35*       -88.264                                 37.57
非球面データ
第6面
K = 0.00000e+000  A 4= 3.56572e-006  A 6= 1.34384e-008  A 8=-6.76277e-011  A10= 1.67838e-013  A12=-1.36052e-016  
第7面
K = 0.00000e+000  A 4=-3.51313e-006  A 6=-1.37204e-008  A 8= 3.80571e-010  A10=-2.82324e-012  A12= 8.11873e-015  
第15面
K = 0.00000e+000  A 4=-2.91407e-006  A 6= 5.45407e-010  A 8= 1.10941e-012  A10= 2.30945e-015  
第21面
K = 0.00000e+000  A 4=-6.55609e-006  A 6=-5.21935e-009  A 8=-2.30998e-012  A10= 2.96691e-014  
第30面
K = 0.00000e+000  A 4= 4.50155e-005  A 6= 4.41029e-008  A 8= 6.55116e-011  A10=-1.51006e-014  
第35面
K = 0.00000e+000  A 4=-1.32495e-005  A 6=-7.05128e-009  A 8= 6.78951e-012  A10=-5.69670e-014  
各種データ
ズーム比      3.44 
広角     中間     望遠
焦点距離      24.70    50.00    85.00  
Fナンバー      2.90     2.90     2.90  
半画角（度）  41.22    23.40    14.28  
像高          21.64    21.64    21.64  
レンズ全長   153.31   172.94   196.48  
BF            12.00    26.12    43.44  
d 5            2.35    21.00    33.89  
d13           19.65     7.65     2.00  
d16            2.65     1.52     0.50  
d19            2.38    11.35    14.42  
d22           13.04     4.07     1.00
ea14          20.10    25.53    31.94
ea22          18.19    22.27    29.20
ズームレンズ群データ
群  始面    焦点距離  レンズ構成長  前側主点位置  後側主点位置
1    1     115.43        15.92         3.32         -5.66
2    6     -16.80        24.42         3.96        -12.38
3   14      37.10         7.27         2.17         -2.08
4   17     115.58        10.43         4.50         -2.02
5   20     -83.64         1.50        -0.99         -1.82
6   23      74.74        41.70        -2.33        -35.20
【０１０１】
【表１】
2020008773.tif 000004
【符号の説明】
【０１０２】
Ｌ１：第１レンズ群
Ｌ２：第２レンズ群
Ｌｍ：中間群
Ｌｎ−１：第（ｎ−１）レンズ群
Ｌｎ：第ｎレンズ群
【図１】
2020008773.tif 000005
【図２】
2020008773.tif 000006
【図３】
2020008773.tif 000007
【図４】
2020008773.tif 000008
【図５】
2020008773.tif 000009
【図６】
2020008773.tif 000010
【図７】
2020008773.tif 000011
【図８】
2020008773.tif 000012
【図９】
2020008773.tif 000013
【図１０】
2020008773.tif 000014
【図１１】
2020008773.tif 000015
【図１２】
2020008773.tif 000016
【図１３】
2020008773.tif 000017